(57)【特許請求の範囲】
【請求項１】
設定を行うためのキーを画面に表示する表示部と、
前記表示部に対して設けられ、タッチ位置を検知し、前記表示部に表示されたキーのうち、操作されたキーを検知するためのタッチパネル部を含み、
前記表示部は、予め定められた基準時間以下の間隔で、予め定められた基準連打回数以上連続して表示されたキーに対しタッチ操作がなされたとき、表示でのモードを通常のモードから連打防止モードに切り替え、
前記表示部は、前記連打防止モードでは、予め定められた特定キーを通常とは異なる位置に表示位置をずらす、ずらし表示をした後、前記特定キーの通常の表示領域に重なるようにずらし表示がなされた前記特定キーの表示領域を変化させる領域変化表示を行うことを特徴とする表示入力装置。
【請求項２】
前記表示部は、前記連打防止モードでは、前記ずらし表示の後、時間経過とともに、ずらした前記特定キーの通常の表示位置での表示領域を覆うように、ずらした前記特定キーの表示領域を大きくしてゆく前記領域変化表示を行うことを特徴とする請求項１記載の表示入力装置。
【請求項３】
前記表示部は、前記連打防止モードでは、前記ずらし表示の後、ずらした前記特定キーの表示位置を時間経過とともに、ずらした前記特定キーの通常の表示位置に戻してゆく前記領域変化表示を行うことを特徴とする請求項１記載の表示入力装置。
【請求項４】
前記連打防止モードでは、
前記表示部は、表示しようとする前記特定キーのうち、直前に操作されたキーの表示位置と、これから表示しようとする前記特定キーの通常での表示位置が重なる前記特定キーに対し、直前にタッチされたキーと重複しない位置にずらす前記ずらし表示、又は、前記表示部に新たに表示する前記特定キーの全てに対し、前画面に表示されたキーと重複しない位置にずらす前記ずらし表示を行うことを特徴とする請求項１乃至３の何れか１項に記載の表示入力装置。
【請求項５】
前記表示部は、前記連打防止モードで、前記基準時間を越えた間隔で予め定められた基準非連打回数のキーへのタッチがあったとき、前記連打防止モードを終了し、通常の位置に前記特定キーを表示し、前記領域変化表示を行わない通常のモードで表示することを特徴とする請求項１乃至４の何れか１項に記載の表示入力装置。
【請求項６】
前記表示部は、前記ずらし表示を行うとき、前記特定キーの通常の表示位置に対し、上下方向、又は、左右方向に前記特定キーの表示位置をずらし、また、通常の表示位置とずらし表示された前記特定キーの間隔が予め定められた長さ以下となるように前記ずらし表示を行うことを特徴とする請求項１乃至５の何れか１項に記載の表示入力装置。
【請求項７】
前記特定キーは、ジョブの実行を指示するための実行キー、設定を確定するためのＯＫキー、設定をキャンセルするためのキャンセルキーの何れか１つ、又は、複数であることを特徴とする請求項１乃至６の何れか１項に記載の表示入力装置。
【請求項８】
請求項１乃至７の何れか１項に記載の表示入力装置を含むことを特徴とする画像形成装置。
【発明の詳細な説明】
【技術分野】
【０００１】
本発明は、表示部と、タッチパネル等を有する表示入力装置に関する。又、この表示入力装置を備えた画像形成装置に関する。
【背景技術】
【０００２】
例えば、装置、機器には、各種設定入力のために、表示画面を参照しつつ入力を行える入力装置が取り付けられることがある。例えば、複写機、複合機、プリンター、ＦＡＸ装置のような画像形成装置には、入力装置（「操作パネル」と称されることもある）が設けられる。そして、操作パネルには、表示部（例えば、液晶表示パネル）やタッチパネルが設けられる。表示部に各種設定や入力用のキー（ボタン）を表示し、タッチパネルを用いて、表示された設定用のキーへの操作、入力が受け付けられる。使用者は、タッチパネルに対して操作を行い、所望する結果が得られるように、各種設定の入力を行う。ここで、使用者は、誤ってキーを押してしまうことがある。誤入力を防ぐことができれば、設定の取消や、やり直しという手間を回避することができる。そこで、使用者の誤入力に対する発明が特許文献１に記載されている。
【０００３】
具体的に、特許文献１には、キー入力手段と、キー入力手段からのキー入力を検知する検知手段と、検知手段により得られたキー入力情報を格納するバッファとを備え、一定期間内に１つ以上のキー入力が検知手段により検知された場合、キー入力情報をバッファに格納し、一定期間内に入力されたキー入力情報のうち、最後にバッファに格納されたキー入力情報のみを有効とする電子機器が記載されている。この構成により、誤ってキーが押された場合でも、一定期間内に所望のキーを入力により、ユーザーの意図通りの操作を実現し、ユーザーの誤操作による誤作動を防止しようとする（特許文献１：請求項１、段落［０００９］等参照）。
【先行技術文献】
【特許文献】
【０００４】
【特許文献１】特開２００９−０２１０４３号公報
【発明の概要】
【発明が解決しようとする課題】
【０００５】
操作パネルは、設定のため、設定画面や初期画面など、複数種の画面を表示する。使用者は、各キー（各ボタン）の配置や画面の内容を使用しているうちに憶え、操作パネルの操作に習熟していく。しかし、操作に慣れてくると、使用者は、画面の内容や新たに表示されたキーが何かをよく確認しないで、連打的なタッチ操作（例えば、連打するように同じ位置をタッチする操作や、複数のキーを連続的にタッチするような操作）を、タッチパネルに対して行う場合がある。具体的に、設定を素早く終わらせるため、あるキーの表示位置をタッチした後、新たに表示されるキーの位置を予測して、連打的（早押し的）にタッチ操作を行うような場合がある。
【０００６】
しかし、使用者がキーが何のキーがよく確認しないで、連打的なタッチ操作（タッチパネルの同じ場所を繰り返しタッチするような操作）をしたとき、不要なキーをタッチするという誤入力（誤操作）をしてしまう場合がある。言い換えると、不要なキーをタッチするという連打的なタッチ操作を行ってしまう場合がある。
【０００７】
また、近年では、各画面で画面設計やデザインを共通化して、使いやすさやキーの配置の予測しやすさを高める観点から、各画面で同じような場所に同じ意味合いや近似する意味合いの入力用のキーを配することがある。このようなキーの配置にある程度の法則性があると、キーの表示位置を予測しやすくなり、連打するようなタッチ操作が行われやすくなる。
【０００８】
例えば、新たに表示されたキーが何のキーがよく確認しないで、タッチパネルの同じ位置をタッチするような連打的なタッチ操作を行って、誤入力をしてしまう場合がある。
【０００９】
また、例えば、連打的なタッチ操作により、誤って、キャンセルキーを押す回数が多すぎ、設定済みの内容を誤ってキャンセルしてしまう場合がある。そうすると、設定をやり直さなくてはならない。
【００１０】
又、例えば、連打的なタッチ操作により、ジョブの実行開始を指示するキー（実行キー）が誤って操作されると、使用者が所望しない設定内容でジョブが開始されてしまう。この場合、実行されたジョブは不要であり、無駄である。また、一旦ジョブが実行されると、設定値が全てデフォルトに戻される場合もあり、このような場合には、設定などを最初からやり直さなくてはならない。
【００１１】
又、例えば、連打的なタッチ操作により、キーの押しすぎの結果、画面が大きく切り替わる場合もある。この場合、元の画面に戻るためには、１又は複数の画面の遷移を行わなければならないこともある。
【００１２】
例えば、ＯＫキーやキャンセルキーなど、複数の画面に配されるキーは、各画面で同様の位置に配することがある。このような場合、操作したＯＫキーやキャンセルキーの表示位置と同じ位置や近い位置に、次の画面でのＯＫキーやキャンセルキーのようなキーが表示される。このような一定の法則性がある場合、あるキーの操作後、新たに表示されるキーの位置は予測しやすく、連打的な操作によって、不要なＯＫキーやキャンセルキーを押してしまう場合がある。
【００１３】
設定のやり直しに手間がかかるなどの問題が生ずるので、同じ位置に対する連続タッチのような連打的なタッチ操作に起因する誤入力（誤操作）が行われても、誤入力が受け付けられないようにすべきであるという問題がある。また、連打的なタッチ操作を日常的に行っている者は、癖で（無意識的に）、必要が無いのに連打的なタッチ操作をしてしまう場合があり、連打的なタッチ操作による誤入力を受け付けないようにする必要性は高い。
【００１４】
ここで、特許文献１記載の電子機器は、手の震えなどによってキーを複数回連続的に押すような操作に対しては、誤入力を防ぐ働きを示すと思われる。しかし、特許文献１記載の発明では、慣れによって、表示された画面の内容やキーを良く確認せずキーを押すことによる誤入力が行われた場合、次々に押された一連のキーのうち、誤入力として入力された最後のキーが有効として入力が受け付けられる場合がある。これにより、使用者の意図しない処理がなされ、手間のかかる設定のやり直しが必要となり得る。従って、特許文献１記載の発明では、上記の問題を解決することはできない。
【００１５】
本発明は上記の問題点に鑑み、使用者にとって、操作がわかりづらくならないようにしつつ、同じ位置の連続タッチのような、慣れに起因する連打的なタッチ操作がタッチパネルになされ、連打的なタッチ操作の過程で、特定キーが誤って操作されても、誤入力として受け付けられないようにする。
【課題を解決するための手段】
【００１６】
上記課題解決のため請求項１に係る表示入力装置は、設定を行うためのキーを画面に表示する表示部と、前記表示部に対して設けられ、タッチ位置を検知し、前記表示部に表示されたキーのうち、操作されたキーを検知するためのタッチパネル部を含み、前記表示部は、予め定められた基準時間以下の間隔で、予め定められた基準連打回数以上連続して表示されたキーに対しタッチ操作がなされたとき、表示でのモードを通常のモードから連打防止モードに切り替え、前記表示部は、前記連打防止モードでは、予め定められた特定キーを通常とは異なる位置に表示位置をずらす、ずらし表示をした後、前記特定キーの通常の表示領域に重なるようにずらし表示がなされた前記特定キーの表示領域を変化させる領域変化表示を行うこととした。
【発明の効果】
【００１７】
本発明によれば、使用者にとって、操作がわかりづらくならないようにしつつ、同じ位置の連続タッチのような、慣れに起因する連打的なタッチ操作がタッチパネル部になされたとき、連打的なタッチ操作の過程で、特定キーが誤って操作されても、その誤入力が受け付けられない。これにより、表示入力装置の使いやすさ、設定入力のしやすさを高めることができる。
【図面の簡単な説明】
【００１８】
【図１】実施形態に係る複合機の一例を示す図である。
【図２】実施形態に係る操作パネルの一例を示す図である。
【図３】実施形態に係る複合機のハードウェア構成の一例を示す図である。
【図４】実施形態に係る操作パネルでの設定項目の選択画面の一例を示す図である。
【図５】実施形態に係る操作パネルでの設定値の設定画面の一例を示す図である。
【図６】実施形態に係る操作パネルでの連打防止モードに関するフローチャートである。
【図７】実施形態に係る実行キーをずらし表示する一例を示す図である。
【図８】実施形態に係るキャンセルキーをずらし表示する一例を示す図である。
【図９】実施形態に係るずらし表示を行った実行キー（特定キー）の表示領域を拡大していく領域変化表示の一例を示す図である。
【図１０】実施形態に係るずらし表示を行った実行キー（特定キー）の表示領域を通常の位置に戻していく領域変化表示の一例を示す図である。
【図１１】実施形態に係る操作パネルでの連打防止モードのモード設定画面の一例を示す図である。
【図１２】実施形態に係る連打防止モードでの表示制御の流れの一例を示すフローチャートである。
【発明を実施するための形態】
【００１９】
本発明の実施形態を図１〜図１２を用いて説明する。ここで、本発明は、各種表示入力装置に適用可能であるが、複合機１００（画像形成装置に相当）に設けられた操作パネル１（表示入力装置に相当）を例に挙げ説明する。但し、本実施の形態に記載されている構成、配置等の各要素は、発明の範囲を限定せず、単なる説明例にすぎない。
【００２０】
（複合機１００の概略構成）
まず、図１に基づき、実施形態に係る複合機１００本体の概略を説明する。図１は、実施形態に係る複合機１００の一例を示す図である。
【００２１】
本実施形態の複合機１００は、上部に画像読取部２ａ、原稿搬送部２ｂ、操作パネル１等が設けられる（操作パネル１の詳細は後述）。原稿搬送部２ｂは、原稿載置トレイ２１に積載された原稿を１枚ずつ連続的に画像読取部２ａの読取位置（送り読取用コンタクトガラス２２）に向けて搬送する。又、原稿搬送部２ｂは、図１の紙面奥側に設けられた支点（不図示）により、手前側を振るようにして開閉可能である。例えば書籍等の原稿を載置読取用コンタクトガラス２３に載せ、原稿搬送部２ｂを閉じることで原稿を抑えることができる。画像読取部２ａは、送り読取用コンタクトガラス２２を通過する原稿、又は、載置読取用コンタクトガラス２３に載置された原稿を読み取って、画像データを生成する。生成された原稿の画像データは、コピーや送信などに用いられる。
【００２２】
また、複合機１００本体内部に、印刷部３が設けられる。印刷部３は、給紙部３ａ、搬送部３ｂ、画像形成部３ｃ、定着部３ｄを含む。
【００２３】
給紙部３ａは、印刷に用いる用紙を収容、供給する。搬送部３ｂは、装置内で用紙を搬送する通路である。画像形成部３ｃは、画像データに基づき給紙部３ａから供給された用紙に画像（トナー像）を形成し、搬送される用紙にトナー像を転写する。定着部３ｄは、用紙に転写されたトナー像を定着させる。搬送部３ｂは、定着部３ｄを通過した用紙を排出トレイ３１に排出する。
【００２４】
（操作パネル１）
次に、図２を用いて、実施形態に係る操作パネル１の一例を説明する。図２は実施形態に係る操作パネル１の一例を示す図である。
【００２５】
操作パネル１は、コピー等の印刷や原稿読取や画像データの送信の設定を行うための表示入力装置として機能する。そして、図１に示すように、複合機１００の正面上方に設けられる。そして、図２に示すように、操作パネル１は、表示部１１を含む。
【００２６】
表示部１１は、液晶表示パネルである。しかし、画面、画像を表示できるものであればよく、有機ＥＬ表示パネルのように、液晶パネル以外の表示パネルを用いてもよい。そして、表示部１１は、設定する設定項目（用いる機能）を選択するため選択画面５や、選択した設定項目の設定値を設定するための設定画面６を表示する。また、表示部１１は、設定項目の選択や、設定値の設定や、設定の完了や、設定のキャンセルや、ジョブの実行指示を行うためのキー（ボタン）や、説明する文字などの画像を表示する。使用者は、表示部１１に表示されたキーに対して操作を行う（キーの表示位置をタッチする）ことで、印刷、スキャン、送信など複合機１００で実行できるジョブに関する設定を行う。
【００２７】
又、表示部１１の上面には、タッチパネル部１２が設けられる。タッチパネル部１２は、表示部１１で押された部分の位置、座標を検知するためのものである。尚、タッチパネル部１２としては、抵抗膜方式、表面弾性波方式、赤外線方式、静電容量方式等、各方式のものを採用でき特に制限はない。
【００２８】
又、操作パネル１には、以下のようなハードとしてのキー（ボタン）が設けられる。例えば、数字入力用のテンキー部１３や、各種設定後、コピー等の処理開始指示用のスタートキー１４が設けられる。又、コピー機能を利用する際に押されるコピーキー１５１、スキャナ機能、ＦＡＸ機能を利用する際に押される送信キー１５２のような機能選択キー１５も設けられる。
【００２９】
（複合機１００のハードウェア構成）
次に、図３に基づき、実施形態に係る複合機１００のハードウェア構成を説明する。図３は、実施形態に係る複合機１００のハードウェア構成の一例を示す図である。
【００３０】
複合機１００内には、主制御部４が設けられる。主制御部４は、例えば、操作パネル１、画像読取部２ａ、原稿搬送部２ｂ、印刷部３（給紙部３ａ、搬送部３ｂ、画像形成部３ｃ、定着部３ｄ）などの制御を行う。
【００３１】
主制御部４は、例えば、ＣＰＵ４１等の処理、演算を行う素子を含む。ＣＰＵ４１は、記憶部４２に格納され、展開される制御プログラムに基づき演算等を行い、複合機１００の各部を制御する。尚、主制御部４は、全体制御や画像処理を行う制御部と、画像形成や各種回転体を回転させるモータ等のＯＮ／ＯＦＦ等を行い、印刷を制御するエンジン制御部を分割するなど、機能ごとに分割されてもよい。
【００３２】
記憶部４２は、主制御部４と通信可能に接続される。記憶部４２は、ＲＯＭ、ＲＡＭ、ＨＤＤ等の不揮発性と揮発性の記憶装置を組み合わせて構成される。記憶部４２は、複合機１００の制御用プログラム、制御用データ、設定データ、画像データ等の各種データを記憶できる。
【００３３】
そして、主制御部４は、各種コネクタ、ソケットやＦＡＸモデム等を備えた通信部４３（通信インターフェイス）と通信可能に接続される。通信部４３はネットワークや公衆回線等により複数の外部のコンピューター２００（例えば、パーソナルコンピューターやサーバ）や相手方ＦＡＸ装置３００（図３では、いずれも便宜上１つのみ図示）と接続される。例えば、通信部４３を用いて、画像読取部２ａでの原稿読み取りで得られた画像データをコンピューター２００や相手方ＦＡＸ装置３００に送信することができる（スキャナ機能、ＦＡＸ機能）。又、通信部４３を用いて、コンピューター２００や相手方ＦＡＸ装置３００から送信され、複合機１００に入力される画像データに基づき印刷等を行うこともできる（プリンター機能、ＦＡＸ機能）。
【００３４】
又、例えば、主制御部４には、画像読取部２ａで原稿を読み取って得られた画像データや通信部４３を介して複合機１００に入力された画像データに対し、画像処理を施す画像処理部４４が設けられる。画像処理部４４が処理した画像データは、画像形成部３ｃに送信され、感光体ドラムの走査・露光に用いられたり、記憶部４２に記憶されたり、通信部４３からコンピューター２００等に送信される。
【００３５】
又、主制御部４は、操作パネル１と通信可能に接続される。主制御部４は、操作パネル１になされた入力内容、設定内容を操作パネル１から受信し、使用者の設定にあわせてコピーや送信のようなジョブが行われるように印刷部３、原稿搬送部２ｂ、画像読取部２ａ、通信部４３、記憶部４２などを制御する。
【００３６】
次に、本実施形態の操作パネル１のハードウェア構成について説明する。操作パネル１は、パネル制御部１０、メモリー１６、表示部１１、タッチパネル部１２、テンキー部１３、スタートキー１４、機能選択キー１５などを含む。
【００３７】
そして、パネル制御部１０は、ＣＰＵやＩＣや表示部１１のパネルのドライバ回路などを含む。パネル制御部１０は、表示部１１の表示を制御する。又、パネル制御部１０は、タッチパネル部１２の出力を受け、表示部１１（タッチパネル部１２）で押された（タッチされた）位置の座標を認識する。タッチパネル部１２の出力と座標の対応を示すテーブル等のデータは、メモリー１６に記憶される。パネル制御部１０は、押された位置の座標と、表示部１１に表示されている画面の画像データを比較して、画面上で選択された（押された）キーを特定、認識する。又、パネル制御部１０は、ハードキーからの信号を受け、いずれのハードキーが押されたかを認識する。
【００３８】
又、パネル制御部１０は、時間を測定する計時部１０ａを含む。計時部１０ａは、タッチパネル部１２の出力に基づき、表示部１１に表示されるキーが押されてから次のキーが押されるまでの時間を計る。例えば、計時部１０ａは、パネル制御部１０や主制御部４に設けられるクロック信号生成回路（不図示）が生成するクロック信号をカウントして経時を行う。尚、パネル制御部１０内のＣＰＵの計時機能を用いて、時間を計るようにしてもよい。
【００３９】
（操作パネル１での設定）
次に、図４、図５を用いて、実施形態に係る操作パネル１での設定の一例を説明する。図４は、実施形態に係る操作パネル１での設定項目の選択画面５の一例を示す図である。図５は、実施形態に係る操作パネル１での設定値の設定画面６の一例を示す図である。
【００４０】
本実施形態の複合機１００では、上述のように、機能選択キー１５により、コピー機能、送信機能など、用いる機能を選択することができる。以下では、コピー機能を用いるときの設定項目の選択と、選択した設定項目での設定値の設定を例に挙げて説明する。コピー機能は、原稿を読み取り、読み取りで得られた画像データに基づき、印刷を行って原稿を複写する機能である。そして、コピー機能に関し、複数の設定項目（用いることができる機能）が用意される。尚、複合機１００は、送信機能のほか、コンピューター２００から送信された画像データや設定データに基づき印刷を行うプリンター機能、読み取りで得られた画像データを蓄積し再利用できるボックス機能など、他の機能も有する。送信機能、プリンター機能、ボックス機能など、他の機能についても、複数の設定項目が用意されるが説明を割愛する。
【００４１】
機能選択キー１５のうち、コピーキー１５が押されると、表示部１１は、コピー機能に関する設定項目を選択するための選択画面５を表示する。パネル制御部１０は、コピーの選択画面５内に、タブとして、初期画面タブ５１、原稿／用紙／仕上げタブ５２、レイアウト編集タブ５３、画質タブ５４、応用／その他タブ５５を表示部１１に表示させる。タブ５１〜５５は、各種選択画面５に表示される。
【００４２】
予め用意され、選択可能な設定項目は多数に及ぶので、１画面内に設定項目を選択するためのキー（設定項目選択キー）を表示しきれない。また、１つのキーが小さくなりすぎないようにキーを表示すべきである。そのため、各設定項目は、複数のカテゴリー（タブ）のうち、何れか１つ、又は、複数に予め分類される。
【００４３】
タブ（タブ５１〜５５）の表示位置がタッチされると、パネル制御部１０は操作されたタブに関連付けられた設定項目（操作されたタブのカテゴリーに属すると予め分類された設定項目）を選択するための選択画面５を表示部１１に表示させる。選択画面５内には、設定項目を選択するための選択キーが一覧的に表示される。
【００４４】
図４は、初期画面タブ５１の表示位置がタッチされたときに表示される選択画面５の一例を示す。初期画面タブ５１は、使用者によって予め選択された、あるいは、経験的に設定頻度が多いとして、予め選び出された（初期設定された）設定項目を選択するためのキーが並べられた画面である。
【００４５】
尚、原稿／用紙／仕上げタブ５２がタッチされると、原稿サイズや用紙サイズや、原稿や用紙の向きや、給紙元など、原稿や用紙に関する設定項目を選択するための選択画面５が表示される。レイアウト編集タブ５３がタッチされると、コピーでの各ページの配置や、印刷物の内容の編集に関する設定項目の選択画面５が表示される。画質タブ５４がタッチされると、印刷物の濃度など、画質に関する設定項目を選択するための選択画面５が表示される。応用／その他タブ５５がタッチされると、タブ５１〜５５のいずれにも分類されない設定項目を選択するための選択画面５が表示される。尚、各選択画面５の表示に要する画面データＤ１（図３参照）は、メモリー１６に記憶される（図３参照）。また、原稿／用紙／仕上げタブ５２、レイアウト編集タブ５３、画質タブ５４、及び、応用／その他タブ５５に対応する選択画面５の図示、詳細な説明は省略する。
【００４６】
パネル制御部１０は、選択画面５内の設定項目選択キーの表示位置がタッチされると、操作された設定項目選択キー対応する設定項目が選択されたと認識する。そして、パネル制御部１０は、選択された設定項目に関する設定値を設定するための設定値設定画面６を表示部１１に表示させる。尚、上述の画面データＤ１には、設定値設定画面６の表示に要する画像データも含まれる。パネル制御部１０は、メモリー１６内の画面データＤ１を用いてタブへの操作に応じて選択画面５を表示部１１に表示させ、設定項目選択キーへの操作に応じて設定値の設定画面６を表示部１１に表示させる。
【００４７】
図５は、初期画面タブ５１の選択画面５で、設定項目選択キーの１つである原稿サイズキーＫ１の表示位置がタッチされたとき（原稿サイズの設定項目が選択されたとき）に表示される原稿サイズ設定の設定画面６の一例を示す。尚、各種選択画面５に配される他の設定項目選択キーに対して操作を行うと、対応する設定画面６が表示されるが、原稿サイズ設定以外の設定項目については、図示、説明を割愛する。
【００４８】
図５に示すように、本実施形態の操作パネル１では、原稿サイズの設定項目の設定画面６では、原稿のサイズの分類を選択するための４つの分類キーが表示される。第１定形サイズキーＫ２１は、Ａ型用紙（例えば、Ａ４やＡ３）や、Ｂ型用紙（例えば、Ｂ４やＢ５）に対応したキーである。第２定形サイズキーＫ２２は、レターサイズのようなインチ系の用紙に対応したキーである。その他キーＫ２３は、定形はがきのようなＡ型用紙、Ｂ型用紙、インチ系の用紙の何れにも当てはまらないとして分類されたサイズの用紙に対応したキーである。
【００４９】
第１定形サイズキーＫ２１、第２定形サイズキーＫ２２、その他キーＫ２３の表示位置がタッチされると、パネル制御部１０は、分類キーの右側に配された用紙サイズキー表示領域Ｆ１に、分類に割り当てられた用紙サイズごとのキーを表示部１１に表示させる。図５は、第１定形サイズキーＫ２１を操作することで、各種Ａ型用紙やＢ型用紙に対応するキーが一覧的に列挙されて表示される例を示している。パネル制御部１０は、使用者により原稿のサイズと一致するとしてタッチされたキーを認識し、原稿のサイズの設定入力として受け付ける。尚、サイズ入力キーＫ２４の表示位置がタッチされると、パネル制御部１０は、テンキー部１３などを用いて原稿のサイズを手入力により設定するための画面を表示部１１に表示させる。
【００５０】
また、図４に示すように、選択画面５の下方には、現在の設定状態でジョブ（図４の例ではコピージョブ）の実行を指示するための実行キー５ａと、いままでなされた設定を解除（キャンセル）してデフォルトの設定値に戻すためのキャンセルキー５ｂが配される。尚、いずれのタブを選んでも、実行キー５ａとキャンセルキー５ｂは、各選択画面５に、同様の位置に表示される。
【００５１】
パネル制御部１０は、実行キー５ａに対しての操作（タッチ）を認識すると、主制御部４に現在の設定状態（設定された設定値）を通知し、主制御部４は、通知に基づき、操作パネル１になされた設定に従った内容のジョブを、画像読取部２ａや原稿搬送部２ｂや印刷部３などに行わせる。一方、パネル制御部１０は、キャンセルキー５ｂに対しての操作（タッチ）を認識すると、既になされた設定を破棄する（設定をキャンセルし、デフォルトの設定値に戻す）。また、主制御部４に現在の設定状態の破棄を通知する。尚、各設定項目のデフォルトの設定値は、メモリー１６にデフォルト設定値データＤ２としてメモリー１６に記憶されている。
【００５２】
又、設定画面６の下方には、ＯＫキー６ａとキャンセルキー６ｂが配される。ＯＫキー６ａは、なされた設定（選択された設定値）を確定させるためのキーである。キャンセルキー６ｂは、設定を確定しないで設定画面６を閉じる（キャンセルする）ためのキーである。ＯＫキー６ａとキャンセルキー６ｂは、各設定項目の設定画面６内に、同様の位置に表示される。
【００５３】
パネル制御部１０は、ＯＫキー６ａに対しての操作（タッチ）を認識すると、設定画面６で設定された設定値を、ジョブを実行するときの設定値と確定する。そして、パネル制御部１０は、主制御部４に現在の設定状態（設定された設定値）を通知する。一方、パネル制御部１０は、キャンセルキー６ｂに対しての操作（タッチ）を認識すると、設定項目の設定値を設定画面６の表示前と同じ値で保つ（変更しない）。
【００５４】
そして、ＯＫキー６ａやキャンセルキー６ｂの表示位置がタッチされると、パネル制御部１０は、現在表示している設定画面６に替えて、現在の設定画面６を表示する前に表示していた選択画面５を表示部１１に表示させる。このように、本実施形態の複合機１００では、表示階層的に、選択画面５が上位である。
【００５５】
（連打防止モードと通常モード間の遷移）
次に、図６を用いて、実施形態に係る操作パネル１での連打防止モードと通常モード間の遷移について説明する。図６は、実施形態に係る操作パネル１での連打防止モードと通常モード間での遷移を示すフローチャートである。
【００５６】
上述のように、各機能の設定項目を選択し、設定値を設定するには、表示部１１における最上層の表示から、表示部１１に表示されるキーの選択を繰り返す。そして、キー選択のような操作がなされるごとに、パネル制御部１０は、表示部１１の表示を切り換えさせ、最終的に、選択、設定しようとする機能の設定値が設定される。
【００５７】
ここで、使用者は、操作パネル１での操作に次第に慣れてくる。例えば、良く用いる機能について設定を繰り返すと、画面の表示内容やキーの表示位置などを記憶する。使用者の中には、慣れてくると、設定を速やかに行うため、予測して操作パネル１へのタッチ操作を素早く行う者も出てくる。例えば、画面が切り替わると、表示される画面の内容を確認せずに直ちにキーを押すといった操作を行う場合がある。あるいは、画面の切り替わりが完了する前から、キーが表示されると予測した位置にタッチを行う場合もあり得る。しかし、表示される画面の内容をほとんど確認しないでキーを押すので、誤って不要なキーを押してしまうことがある。
【００５８】
又、素早い指の動作を行うとき１回だけ押そうとしても、意図せず２度押ししてしまう場合もある。そして、１回目にキー押して画面が切り替わると、同じ位置に別種のキーが配されていることがある。同じ位置の連続タッチのような操作がなされると、使用者は意図しないキー（誤ったキー）を操作してしまう場合がある。
【００５９】
通常であれば、パネル制御部１０は、誤っていても誤っていなくても、操作されたキーに対する入力を受け付け、操作されたキーに応じて、画面の表示を切り替える。その結果、誤ったキーが操作されても、入力を受け付けたキーに応じ、パネル制御部１０は、表示部１１に画面の表示を切り替えさせたり、ジョブの実行を開始させる等の処理を行わせたりしている。
【００６０】
そのため、誤ったキーを押してしまうと、画面の切替や設定値の修正などの操作が必要になることがある。例えば、選択画面５でキャンセルキー５ｂが操作されると、パネル制御部１０は、例えば、保持している設定内容をメモリー１６に破棄させる。そのため、誤ってキャンセルキー５ｂを操作した使用者は、設定のやり直しを行う必要がある。又、例えば、設定が完了していないのに、誤って実行キー５ａが操作されると、パネル制御部１０は、主制御部４に現在の設定値の設定状態でジョブを実行させる。そうすると、ジョブの中止操作や、設定項目の選択、設定値の設定をやり直す必要がある。
【００６１】
このように使用者の慣れに起因した連打的なタッチ操作の過程で、誤入力（誤ったキーへの操作）がなされることがある。そこで、本実施形態の操作パネル１には、連打的なタッチ操作によって、設定のやり直しが必要となり、又、不要なジョブが実行されるような特定キー（例えば、キャンセルキーや実行キー５ａなど）に対する誤入力（誤操作）を無くすための連打防止モードが設けられる。
【００６２】
連打防止モードでは、特定キーの表示位置は、ずらされ（ずらし表示）、ずらされた特定キーの表示領域の変化（領域変化表示）がなされる（詳細は後述）。そこで、まず、図６を用いて、連打防止モードと通常モード間の遷移を説明する。
【００６３】
まず、図６のスタートは、複合機１００の主電源が投入されたときや、省電力モードから復帰したときなど、表示部１１での画面、画像の表示を開始する時点である。まず、パネル制御部１０は、メモリー１６から基準時間を示す基準時間データＤ３を読み出す（ステップ♯１１）。基準時間データＤ３は、メモリー１６に記憶されるデータである（図３参照）。基準時間は、連打的にタッチ操作がなされているか否かを判断、検知するための時間である。基準時間は、画面の切替速度や、表示部１１の画面サイズや、各キー間の平均距離やタッチパネル部１２の反応速度などを考慮して適宜設定される値である（例えば、数百ミリ秒〜数秒の間の何れかの値。操作パネル１で設定可能としてもよい）。また、「基準時間」は、実験等により操作に慣れた使用者の平均的なキーとキーを押す間隔よりも短い時間の範囲内で定めても良い。
【００６４】
続いて、パネル制御部１０は、連打回数（連打のカウント値）と、非連打回数（非連打のカウント値）をリセットする（ステップ♯１２）。ここで、パネル制御部１０（のＣＰＵ）は、連打回数と非連打回数をカウントする。パネル制御部１０は、自己のレジスタや、連打回数や非連打回数をメモリー１６に保持させる。
【００６５】
まず、パネル制御部１０は、キーの表示位置をタッチする間隔（キーを操作してから次のキーを操作するまでの間隔。特定キーに限られない）を計る。連打回数は、基準時間以下の間隔が続いた回数である。例えば、前後２回のタッチの間隔が基準時間以下であるとき、連打回数は「１」としてカウントされる。また、３回のタッチがなされたとき、１回目のタッチと２回目のタッチの間隔と、２回目のタッチと３回目のタッチの間隔の何れもが基準時間以下であるとき、連打回数は「２」としてカウントされる。このように、パネル制御部１０は、基準時間以下のタッチの間隔が連続した回数を連打回数としてカウントする。また、パネル制御部１０は、間隔が基準時間を越えると、連打回数の値をリセットする。
【００６６】
一方、非連打回数は、基準時間を越えた間隔（キーの表示位置をタッチする間隔、キーを操作してから次のキーを操作するまでの間隔）が続いた回数である。例えば、前後２回のタッチの間隔が基準時間を越えているとき、非連打回数は「１」としてカウントされる。また、３回のタッチがなされたとき、１回目のタッチと２回目のタッチの間隔と、２回目のタッチと３回目のタッチの間隔の何れもが基準時間を越えているとき、非連打回数は「２」としてカウントされる。このように、パネル制御部１０は、基準時間を越える間隔でのタッチが連続した回数を非連打回数としてカウントする。また、パネル制御部１０は、間隔が基準時間以下となると、非連打回数の値をリセットする。
【００６７】
そして、パネル制御部１０は、通常モードでの表示を行う（ステップ♯１３）。通常モードとは、パネル制御部１０が、予め定められた位置に、通常どおり、キーを表示部１１に表示させるモードである。言い換えると、通常モードとは、連打防止モードのように、各画面に表示するキーの表示位置のずらし表示や、領域変化表示を行わないモードである。例えば、実行キー５ａや、ＯＫキー６ａや、キャンセルキー５ｂ、６ｂは、図４、図５に示す位置に表示される。
【００６８】
そして、パネル制御部１０（計時部１０ａ）は、キーの表示位置がタッチされてから次のキーの表示位置がタッチされるまで（キーが操作されてから次のキーが操作されるまで）の間隔を計る（ステップ♯１４）。
【００６９】
そして、パネル制御部１０は、間隔が基準時間以下であるか否かを確認する（ステップ１５）。もし、基準時間を越えているとき（ステップ♯１５のＮｏ）、パネル制御部１０は、連打回数の値をリセットする（ステップ♯１６）。そして、フローは、ステップ♯１４に戻る。一方、基準時間以下のとき（ステップ♯１５のＹｅｓ）、パネル制御部１０は、連打回数に１を加算する（ステップ♯１７）。
【００７０】
続いて、パネル制御部１０は、連打回数が予め定められた基準連打回数以上となったか否かを確認する(ステップ♯１８)。もし、基準連打回数以上であるとき（ステップ♯１８のＹｅｓ）、パネル制御部１０は、表示部１１の表示モードを連打防止モードとする（連打防止モードへの移行。ステップ♯１９）。そして、パネル制御部１０は、連打回数（連打のカウント値）と、非連打回数（非連打のカウント値）をリセットする（ステップ♯１１０）一方、基準連打回数を下回っているとき（ステップ♯１８のＮｏ）、フローはステップ♯１４に戻る。
【００７１】
基準連打回数は、連打防止モードに移行すべきか否かを判定するための値であり、適宜定めることができる。例えば、基準連打回数は、１〜２回程度の値に設定することができる。尚、基準連打回数を１回するのであれば、ステップ♯１８により確認を行わず、直ちに連打防止モード（ステップ♯１９）に移行すればよい。基準連打回数を示す基準連打回数データＤ４は、例えば、メモリー１６に記憶される（図３参照）。
【００７２】
ステップ♯１１０の後、パネル制御部１０（計時部１０ａ）は、キーの表示位置がタッチされてから次のキーの表示位置がタッチされるまで（キーが操作されてから次のキーが操作されるまで）の間隔を計る（ステップ♯１１１）。
【００７３】
そして、パネル制御部１０は、間隔が基準時間を越えているか否かを確認する（ステップ１１２）。もし、基準時間以下のとき（ステップ♯１１２のＮｏ）、パネル制御部１０は、非連打回数の値をリセットする（ステップ♯１１３）。そして、フローは、ステップ♯１１１に戻る。一方、基準時間を越えているとき（ステップ♯１１２のＹｅｓ）、パネル制御部１０は、非連打回数に１を加算する（ステップ♯１１４）。
【００７４】
続いて、パネル制御部１０は、非連打回数が予め定められた基準非連打回数以上となったか否かを確認する(ステップ♯１１５)。もし、基準非連打回数以上であるとき（ステップ♯１１５のＹｅｓ）、フローは、ステップ♯１２に戻る。これにより、パネル制御部１０は、表示部１１の表示モードを通常モードとする（通常モードへの移行。ステップ♯１３）。一方、基準非連打回数を下回っているとき（ステップ♯１１５のＮｏ）、フローはステップ♯１１１に戻る。主電源ＯＦＦや省電力モードへの移行により、表示部１１の表示がＯＦＦされない限り、フローは続けられる。
【００７５】
ここで、基準非連打回数は、連打防止モードから通常モードに移行すべきか否かを判定するための値であり、適宜定めることができる。例えば、基準非連打回数は、１〜２回程度の値に設定することができる。尚、基準非連打回数を１回とするのであれば、ステップ♯１１５により確認を行わず、直ちに通常モード（ステップ♯１２、１３）に移行すればよい。基準非連打回数を示す基準非連打回数データＤ５は、例えば、メモリー１６に記憶される（図３参照）。
【００７６】
（連打防止モード・ずらし表示）
次に、図７、図８を用いて、本実施形態の操作パネル１でのずらし表示を説明する。図７は、実施形態に係る特定キーとして実行キー５ａをずらし表示する一例を示す図である。図８は、実施形態に係る特定キーとしてキャンセルキー５ｂをずらし表示する一例を示す図である。
【００７７】
上述のように、基準時間よりも短い間隔でのキー操作（タッチ）が連続すると、パネル制御部１０は、表示部１１の表示モードを通常（通常モード）から連打防止モードに切り替える。連打防止モードでは、パネル制御部１０は、特定キーに対するずらし表示を行う。ここで、本実施形態の操作パネル１では、特定キーは、実行キー５ａ、ＯＫキー６ａ、キャンセルキー５ｂ、６ｂのような設定のやり直しが必要となるキーが特定キーとして扱われる。尚、実行キー５ａ、ＯＫキー６ａ、キャンセルキー５ｂ、６ｂの全てを特定キーと扱う必要はなく、何れか１つ、又は複数を特定キーと扱うようにしてもよい。
【００７８】
ここで、本実施形態の操作パネル１では、ずらし表示の対象となる特定キーは、表示しようとする特定キーのうち、直前に操作されたキーの表示位置と、これから表示しようとする特定キーの通常の（通常モードでの）表示位置が重なる特定キーに対し、ずらし表示を行う。具体的に、パネル制御部１０は、直前にタッチされたキーと、表示しようとする特定キーが重複しない位置にずらすように、表示部１１に特定キーを表示させる。
【００７９】
しかし、パネル制御部１０は、新たに表示する特定キーの全てに対し、前画面に表示されたキーと重複しない位置にずらすように、表示部１１にずらし表示を行わせてもよい。
【００８０】
図７の上図は、原稿サイズの設定項目の設定画面６である。そして、図７の上図は、原稿がＡ４縦サイズであることを設定するため、第１定形サイズキーＫ２１、Ａ４サイズ（縦）を指定するためのキー、ＯＫキー６ａの順で、キーの表示位置がタッチされたことを示している。
【００８１】
そして、図７の下図は、第１定形サイズキーＫ２１を操作してからＡ４サイズ（縦）を指定するためのキーを操作するまでの間隔と、Ａ４サイズ（縦）を指定するためのキーを操作してからＯＫキー６ａを操作するまでの間隔の何れもが基準時間以下であるため、連打防止モードになったときの選択画面５での表示の一例を示している。尚、ＯＫキー６ａが操作され、設定が確定すると、パネル制御部１０は、設定画面６を表示する前に表示していた選択画面５を表示させる。
【００８２】
ここで、本実施形態の操作パネル１では、画面のデザイン的な共通性を持たせる意味合いもあり、設定値を設定するための設定画面６でＯＫキー６ａが表示されていた位置に、設定項目を選択するための選択画面５では、実行キー５ａが配される。言い換えると、肯定的な意味合いを持つキーの配置位置が各画面で同様の位置に配される。
【００８３】
ここで、使用者がＯＫキー６ａに対し、同じ位置をタッチするような連続的なタッチ（連打的なタッチ操作）を行った場合、ＯＫキー６ａと実行キー５ａの表示位置が同様の位置である（重なっている）ので、何ら配慮をしなければ、画面切替により新たに表示される実行キー５ａに対する入力、操作を誤って行ってしまう場合がある。言い換えると、連打的なタッチ操作によって、まだ操作するつもりがなく、設定を続けたいのに誤って実行キー５ａを操作してしまう場合がある。
【００８４】
そこで、図７の下図に示すように、本実施形態の操作パネル１では、連打防止モードでは、特定キー（図７の例では、実行キー５ａ）を通常とは異なる位置に表示位置をずらす。
【００８５】
具体的に、図７の下図の例では、パネル制御部１０は、画面切替（選択画面５への切替）により、新たに表示しようとする特定キー（図７の下図の例では、実行キー５ａ）のうち、直前に操作された特定キー（図７の上図の例ではＯＫキー６ａ）の表示位置と、これから表示しようとし、通常での表示位置が重なる特定キー（実行キー５ａ）を、直前にタッチされたＯＫキー６ａと重複しない位置にずらすように表示部１１に表示させる。
【００８６】
ここで、パネル制御部１０は、表示部１１にずらし表示を行わせるとき、特定キー（実行キー５ａ）の通常の表示位置に対し、上下方向、又は、左右方向に特定キーの表示位置をずらすように表示部１１に表示させる。図７の下図の例では、下方向及び、右方向にはずらすことができないので、特定キー（実行キー５ａ）を左方向、又は、上方向にずらす例を示している。これにより、慣れに起因する連打的な操作を行っても、誤った特定キー（実行キー５ａ）に対する操作、入力が受け付けられない。
【００８７】
ここで、図７の下図に示すように、通常の表示位置とずらし表示された特定キーの間隔が予め定められた長さ以下となるように特定キーはずらされる。予め定められた長さは、適宜定められる。予め定められた長さをゼロと定めることができる。ゼロの場合、パネル制御部１０は、通常の表示位置の特定キーに隣接する位置となるように、表示部１１に特定キーのずらし表示を行わせる。また、予め定められた長さは、数ｍｍのように一定の長さでもよい。図７の下図の例では、通常の表示位置の特定キー（実行キー５ａ）に、ほぼ隣接するように特定キーをずらす例を示している。また、予め定められた長さは、特定キーの縦方向の長さと横方向の長さの何れか一方よりも短い長さとしてもよい。
【００８８】
例えば、上方向にずらす場合は、通常の表示位置での特定キーの上辺と、ずらし表示された特定キーの下辺との隙間が、予め定められた長さ以下の長さとされる。そして、下方向にずらす場合は、通常の表示位置での特定キーの下辺と、ずらし表示された特定キーの上辺との隙間が、予め定められた長さ以下の長さとされる。また、右方向にずらす場合は、通常の表示位置での特定キーの右辺と、ずらし表示された特定キーの左辺との隙間が、予め定められた長さ以下の長さとされる。また、左方向にずらす場合は、通常の表示位置での特定キーの左辺と、ずらし表示された特定キーの右辺との隙間が、予め定められた長さ以下の長さとされる。これにより、ずらし表示によって、元の表示位置と大きく替わってしまい、わかり辛くなるようなことが無くなる。
【００８９】
尚、特定キーを斜め方向にずらすようにしてもよい。この場合、パネル制御部１０は、通常モードの表示位置での特定キーとずらし表示された特定キーの対向する隅部分の間隔が予め定められた長さ以下となるように、表示部１１にずらし表示を行わせる。
【００９０】
また、図８は、キャンセルキー５ｂをずらし表示を行う特定キーとする例を示している。図８の上図は、図７と同様に、原稿サイズの設定項目の設定画面６である。そして、図８の上図は、原稿がＡ４縦サイズであることを設定するため、第１定形サイズキーＫ２１、Ａ４サイズ（縦）を指定するためのキーを押したところ、設定をキャンセルするため、キャンセルキー６ｂの順で、キーの表示位置がタッチされたことを示している。
【００９１】
そして、図８の下図は、第１定形サイズキーＫ２１を操作してからＡ４サイズ（縦）を指定するためのキーを操作するまでの間隔と、Ａ４サイズ（縦）を指定するためのキーを操作してからキャンセルキー６ｂを操作するまでの間隔の何れもが基準時間以下であるため、連打防止モードになったときの選択画面５での表示の一例を示している。尚、キャンセルキー６ｂが操作され、設定操作がキャンセルされる（取り消させる）と、パネル制御部１０は、設定画面６を表示する前に表示していた選択画面５を表示させる。
【００９２】
ここで、本実施形態の操作パネル１では、設定値を設定するための設定画面６でキャンセルキー６ｂが表示されていた位置に、設定項目を選択するための選択画面５では、設定値をデフォルトに戻すためのキャンセルキー５ｂが配される。言い換えると、否定的な意味合いを持つキーの配置位置が各画面で同様の位置に配される。
【００９３】
ここで、使用者がキャンセルキー６ｂの表示位置に対し、連続的なタッチ（連打的なタッチ操作）を行った場合、キャンセルキー６ｂとキャンセルキー５ｂの表示位置が同様の位置である（重なっている）ので、何ら配慮をしなければ、画面切替により、誤ってキャンセルキー５ｂに対する入力を行う場合がある。言い換えると、連打的なタッチ操作によって、設定値をデフォルトに戻したくないのに、誤ってキャンセルキー５ｂを操作してしまう場合がある。そうすると、設定を再度やり直さなくてはならない。
【００９４】
そこで、図８の下図に示すように、本実施形態の操作パネル１では、連打防止モードでは、特定キー（図８の例では、キャンセルキー５ｂ）を通常とは異なる位置に表示位置をずらす。
【００９５】
具体的に、図８の下図の例では、パネル制御部１０は、画面切替（選択画面５への切替）により、新たに表示しようとする特定キー（図８の下図の例では、キャンセルキー５ｂ）のうち、直前に操作されたキャンセルキー６ｂの表示位置と、これから表示しようとし、通常での表示位置が重なるキャンセルキー５ｂを、直前にタッチされたキャンセルキー６ｂと重複しない位置にずらすように表示部１１に表示させる。
【００９６】
ここで、パネル制御部１０は、表示部１１にずらし表示を行わせるとき、キャンセルキー５ｂの場合も、キャンセルキー５ｂの通常の表示位置に対し、上下方向、又は、左右方向に特定キーの表示位置をずらすように表示部１１に表示させる。図８の下図の例では、下方向にはずらすことができないので、特定キー（キャンセルキー５ｂ）を左方向、又は、上方向にずらす例を示している（右方向にずらしてもよい）。これにより、慣れに起因する連打的な操作を行っても、誤った特定キー（キャンセルキー５ｂ）に対する操作、入力が受け付けられない。
【００９７】
ここで、図８の下図に示すように、通常の表示位置とずらし表示された特定キーの間隔が予め定められた長さ以下となるように特定キーはずらされる。予め定められた長さは、図７を用いてで説明したように、適宜定められる。
【００９８】
尚、図７、図８の例では、選択画面５に表示される実行キー５ａとキャンセルキー５ｂに対してずらし表示を行う例を説明したが、選択画面５から設定画面６に切り替える場合など、設定画面６内のＯＫキー６ａやキャンセルキー６ｂに対してずらし表示を行うようにしてもよい。
【００９９】
（連打防止モード・領域変化表示）
次に、図９、図１０を用いて、本実施形態の操作パネル１での領域変化表示を説明する。図９は、実施形態に係るずらし表示を行った実行キー５ａ（特定キー）の表示領域を拡大していく領域変化表示の一例を示す図である。図１０は、実施形態に係るずらし表示を行った実行キー５ａ（特定キー）の表示領域を通常の位置に戻していく領域変化表示の一例を示す図である。
【０１００】
本実施形態の操作パネル１では、連打防止モードでは、予め定められた特定キーに対し、ずらし表示がなされる。表示位置をずらしたままでは、ずらされた特定キーに対して操作を行いたいとき（ずらされた特定キーの表示領域に対してタッチを行いたいとき）、通常とは異なる位置に対してタッチを行う必要がある。通常とは操作が異なるため、操作に違和感を持たせ、操作の快適性や操作のしやすさが失われたと使用者が感じてしまう可能性がある。
【０１０１】
そこで、本実施形態の操作パネル１では、パネル制御部１０は、ずらし表示をした後、ずらし表示を行った特定キーの通常の表示領域に重なるように、ずらした特定キーの表示領域を変化させる領域変化表示を行う。
【０１０２】
まず、図９を用いて、領域変化表示の一例を説明する。図９は、選択画面５でずらし表示した特定キー（図９の例では実行キー５ａ）の表示領域を、時間経過とともに、特定キーの通常の表示領域を覆うように、大きくしてゆく領域変化表示を行う例を示している。
【０１０３】
図９では、時間の経過に伴って、上段の図から下段の図に向けて変化する例を示している。ここで、ずらし表示から、領域変化表示完了までの時間（領域変化表示を行う時間）は適宜定めることができる。例えば、２〜１０秒程度に設定される。
【０１０４】
図９の最上段の図は、ずらし表示を行った直後の時点であり、パネル制御部１０が領域変化表示を表示部１１に開始させていない時点の一例である。そして、図９の上から２段目と３段目の図は、時間の経過とともに、アニメーション的に、ずらし表示された特定キー（実行キー５ａ）の表示領域を、上下方向のサイズはそのままにして右方向に延ばす（拡大する）例を示している。そして、図９の最下段の図は、パネル制御部１０は、ずらし表示をした特定キー（実行キー５ａ）の拡大を続け、特定キーの通常の表示領域を覆うことが完了したので、領域変化表示を終了した状態を示す。
【０１０５】
尚、図９の太破線は、ずらし表示された特定キーのずらされた方向の端部の位置は、領域変化表示により領域が拡大しても変化しないことを示している。
【０１０６】
このように、領域変化表示によって、ずらし表示された特定キーは際限なく領域を拡大して行くのではなく、パネル制御部１０は、ずらした方向と垂直な方向での幅は保ったまま、ずらした方向と逆方向に特定キーの領域を拡大してゆき、通常の特定キーの表示領域を全て覆った時点で、特定キーの領域の拡大が停止するように、表示部１１に領域変化表示を行わせる。
【０１０７】
次に、図１０を用いて、領域変化表示の一例を説明する。図１０は、選択画面５でずらし表示された特定キー（図１０の例では実行キー５ａ）の表示領域を、時間経過とともに、特定キーの通常の表示位置に戻してゆく領域変化表示を行う例を示している。
【０１０８】
ここで、通常モードの表示位置に戻す場合も、ずらし表示から領域変化表示が完了までの時間（領域変化表示を行う時間）は適宜定めることができる。例えば、２〜１０秒程度に設定される。
【０１０９】
図１０の最上段の図は、ずらし表示を行った直後の時点であり、パネル制御部１０が領域変化表示を表示部１１に開始させていない時点の一例である。そして、図１０の上から２段目と３段目の図は、時間の経過とともに、アニメーション的に、ずらし表示された特定キー（実行キー５ａ）の表示領域を、表示領域を拡大することなく、上下方向の位置はそのままにして、通常の表示位置に向けて右方向にずらしていく例を示している。そして、図１０の最下段の図は、パネル制御部１０は、ずらし表示をした特定キー（実行キー５ａ）を通常の表示位置に戻し終えたので、領域変化表示を終了した状態を示す。
【０１１０】
尚、図１０の太い破線は、ずらし表示された特定キーのずらされた方向の端部の位置は、領域変化表示により、時間とともに位置が変化することを示している。
【０１１１】
このように、パネル制御部１０は、ずらした方向と逆方向に、特定キーの大きさを変えないで、特定キーの表示位置を移動させ、最終的に、通常の表示領域まで、特定キーの領域を戻すような領域変化表示を表示部１１に行わせてもよい。
【０１１２】
（連打防止モードに関する設定）
次に、図１１を用いて、実施形態に係る操作パネル１での連打防止モードに関する設定について説明する。図１１は、実施形態に係る操作パネル１での連打防止モードのモード設定画面７の一例を示す図である。
【０１１３】
本実施形態の複合機１００（操作パネル１）では、連打防止モードでの操作パネル１の表示の振る舞いなどについて、予め設定しておくことができる。具体的に、図１１に示すモード設定画面７で、設定を行うことができる。
【０１１４】
図１１に示すモード設定画面７は、操作パネル１に対して予め定められた手順での入力を行うことにより表示されることができる。パネル制御部１０は、予め定められた手順での入力（ハードキーを押す操作やタッチパネル部１２をタッチする操作）がなされると、図１１に示すモード設定画面７を表示部１１に表示させる。
【０１１５】
モード設定画面７には、使用キー７１、不使用キー７２、第１ラジオボタン７３、第２ラジオボタン７４、第１チェックボックス７５、第２チェックボックス７６、第３チェックボックス７７、第４チェックボックス７８が配される。
【０１１６】
パネル制御部１０は、使用キー７１の表示位置がタッチされたとき、連打防止モードでの表示を表示部１１に行わせる設定がなされたと認識する。一方、パネル制御部１０は、パネル制御部１０は、不使用キー７２の表示位置がタッチされたとき、連打防止モードでの表示を表示部１１に行わせなない設定がなされたと認識する。連打防止モードで表示を行わない場合、通常モードのみでの表示となる。また、図６に示すフロー（処理）は実行されない。
【０１１７】
第１ラジオボタン７３と第２ラジオボタン７４は２者択一の関係にある。パネル制御部１０は、第１ラジオボタン７３の表示位置がタッチされたとき、通常の表示位置を覆うように特定キーを拡大する領域変化表示を行う設定がなされたと認識する。一方、パネル制御部１０は、第２ラジオボタン７４の表示位置がタッチされたとき、ずらし表示した特定キーを通常の表示位置に戻すように領域変化表示を行う設定がなされたと認識する。
【０１１８】
パネル制御部１０は、第１チェックボックス７５の表示位置がタッチされたとき、実行キー５ａを特定キーと扱う設定がなされたと認識する。また、パネル制御部１０は、第２チェックボックス７６の表示位置がタッチされたとき、ＯＫキー６ａを特定キーと扱う設定がなされたと認識する。又、パネル制御部１０は、第３チェックボックス７７の表示位置がタッチされたとき、キャンセルキー５ｂ、キャンセルキー６ｂを特定キーと扱う設定がなされたと認識する。パネル制御部１０は、第４チェックボックス７８の表示位置がタッチされたとき、画面に配される全てのキーを特定キーと扱う設定がなされたと認識する。
【０１１９】
そして、モード設定画面７に配されたＯＫキー６ａの表示位置がタッチされ、ＯＫキー６ａが操作されると、パネル制御部１０は、モード設定画面７でなされた設定をメモリー１６に記憶する。そして、連打防止モードでは、パネル制御部１０は、モード設定画面７でなされた設定に沿うように、表示部１１にずらし表示や領域変化表示を行わせる。
【０１２０】
（連打防止モードでの表示制御）
次に、図１２を用いて、実施形態に係る操作パネル１の連打防止モードでの表示制御の流れの一例を説明する。図１２は、実施形態に係る連打防止モードでの表示制御の流れの一例を示すフローチャートである。
【０１２１】
図１２のスタートは、連打防止モードであって、キーの操作によって画面を切り替えて新たに特定キーを表示させる時点である。
【０１２２】
まず、パネル制御部１０は、画面切替により新たに表示しようとする特定キーと、直前に操作されたキー(表示位置がタッチされたキー)とが重なるかを確認する（ステップ♯２１）。もし、重なっていなければ（ステップ♯２１のＮｏ）、パネル制御部１０は、通常の位置（通常モードでの位置）に特定キーを表示に表示させる（ステップ♯２２）。そして、フローは終了する。
【０１２３】
一方、重なっていれば（ステップ♯２１のＹｅｓ）、パネル制御部１０は、重なる特定キーに対し、ずらし表示を表示部１１に行わせる（ステップ♯２３）。さらに、パネル制御部１０は、ずらし表示を行った特定キーに対し、領域変化表示を表示部１１に行わせる（ステップ♯２４）。そして、フローは終了する。
【０１２４】
このようにして、実施形態に係る表示入力装置（操作パネル１）は、表示部１１とタッチパネル部１２を含む。表示部１１は、設定を行うためのキーを画面に表示する。タッチパネル部１２は、表示部１１に対して設けられ、タッチ位置を検知し、表示部１１に表示されたキーのうち、操作されたキーを検知するためのものである。そして、表示部１１は、予め定められた基準時間以下の間隔で、予め定められた基準連打回数以上連続して表示されたキーに対しタッチ操作がなされたとき、表示でのモードを通常のモードから連打防止モードに切り替え、表示部１１は、連打防止モードでは、予め定められた特定キー（実行キー５ａ、キャンセルキー５ｂ、ＯＫキー６ａ、キャンセルキー６ｂ）を通常とは異なる位置に表示位置をずらす、ずらし表示をした後、特定キーの通常の表示領域に重なるようにずらし表示がなされた特定キーの表示領域を変化させる領域変化表示を行う。
【０１２５】
これにより、キーに対するタッチ操作の時間間隔が短く、表示された画面の内容やキーを確認しないままキーが操作されている可能性があるとき、ずらし表示によりキーの位置がずらすことができる。従って、キーをよく確認せず、同じ位置の連続的なタッチのような連打的なタッチ操作を行っても、空白をタッチさせることができる（特定キーはずらされるので、特定キーが配置される通常の領域は空白となる）。言い換えると、連続的な一連のタッチ操作（連打するようなタッチ操作）のうち、基準連打回数以降のタッチ操作は入力として、直ちに受け付けられないようにすることができる。従って、連打的なタッチ操作に起因して、誤って特定キーを操作する誤入力は受け付けられなくなる。その結果、使用者の意図しない処理がなされることや、設定のやり直しを防ぐことができ、表示入力装置（操作パネル１）の使いやすさを向上させることができる。
【０１２６】
しかも、領域変化表示が行われる。これにより、時間が経過すると、通常と同じ位置をタッチすれば、ずらされた特定キーを選択できる（操作、入力できる）。従って、ずらされた特定キーに対するタッチ操作がしづらくなることや、特定キーの位置がわかり辛くなり操作がわかり辛くなることや、操作での快適性が大きく損なわれることもない。しかも、通常と同じ位置をタッチすればよい状態となるまでの時間は、画面の内容や、ずらされた特定キーの内容を使用者に確認させるための時間としても用いることできる。また、時間とともに特定キーの表示領域がアニメーション的に変化するので、どの特定キーの表示位置がずらされたか一見するだけで理解することができる。
【０１２７】
また、表示部１１は、基準時間以下の間隔で、連打するようなタッチ操作が行われた場合にのみ連打防止モード（連打的な連続タッチによる誤入力を防止するモード）となる。そのため、連続タッチを行わない使用者に対しては、通常どおりの位置にキーは表示される。従って、連続タッチを行わない使用者を戸惑わせることもない。又、特定キーのみ、ずらし表示がなされる。これにより、表示部１１に表示された全てのキーの表示位置がずらされない。従って、連打防止モードとなっても、ずらし表示や領域変化表示は、一部のキーに限られ、画面内の全てのキーの表示位置をずらすような使用者にとってわかり辛くなるような表示は、なされない。
【０１２８】
又、表示部１１は、連打防止モードでは、ずらし表示の後、時間経過とともに、ずらした特定キーの通常の表示位置での表示領域を覆うように、ずらした特定キー（実行キー５ａ、キャンセルキー５ｂ、ＯＫキー６ａ、キャンセルキー６ｂ）の表示領域を大きくしてゆく領域変化表示を行うようにしてもよい。
【０１２９】
これにより、ずらし表示された特定キーは時間の経過とともに領域が大きくなり、通常の表示位置までも特定キーの領域が拡大される。そのため、時間経過による拡大後には、特定キーの通常の表示位置と同じ位置をタッチすれば、ずらし表示がなされた特定キーに対し操作を行うことができる。従って、待ちさえすれば、通常のときと同様の操作で、ずらされた特定キーを選択、操作することができ、連打防止モードでも、通常と操作手順が異ならず（通常と同様の操作性）、使用者を戸惑わせることがない。
【０１３０】
又、表示部１１は、連打防止モードでは、ずらし表示の後、ずらした特定キー（実行キー５ａ、キャンセルキー５ｂ、ＯＫキー６ａ、キャンセルキー６ｂ）の表示位置を時間経過とともに、ずらした特定キーの通常の表示位置に戻してゆく領域変化表示を行うようにしてもよい。
【０１３１】
これにより、ずらし表示された特定キーは時間の経過とともに、通常の表示位置に移動し、通常の表示位置に戻る。そのため、時間経過後であれば、通常の表示位置と同じ位置をタッチすれば、ずらし表示がなされた特定キーに対し操作を行うことができる。従って、通常のときと同様の操作で、ずらされた特定キーを選択、操作することができ、連打防止モードでも、通常と操作手順が異ならず（通常と同様の操作性）、使用者を戸惑わせることがない。
【０１３２】
又、連打防止モードでは、表示部１１は、表示しようとする特定キー（実行キー５ａ、キャンセルキー５ｂ、ＯＫキー６ａ、キャンセルキー６ｂ）のうち、直前に操作されたキーの表示位置と、これから表示しようとする特定キーの通常での表示位置が重なる特定キーに対し、直前にタッチされたキーと重複しない位置にずらす「ずらし表示」、又は、表示部１１に新たに表示する特定キーの全てに対し、前画面に表示されたキーと重複しない位置にずらす「ずらし表示」を行う。
【０１３３】
これにより、例えば、同じ位置を連続タッチするような操作を行っても、直前に操作されたキーに替わって新たに表示される特定キーを選択する操作としては受け付けられない。従って、連打的なタッチ操作の過程で、誤って特定キーを選択する誤入力は受け付けられないようにすることができる。
【０１３４】
又、表示部１１は、連打防止モードで、基準時間を越えた間隔で予め定められた基準非連打回数のキーへのタッチがあったとき、連打防止モードを終了し、通常の位置に特定キー（実行キー５ａ、キャンセルキー５ｂ、ＯＫキー６ａ、キャンセルキー６ｂ）を表示し、領域変化表示を行わない通常のモードで表示することとした。
【０１３５】
これにより、連打するようなタッチ操作がなくなると、連打防止モードが解除される。従って、条件が整うと（連打的なタッチ操作がなくなると）連打防止モードが解除され、通常の操作を行うことができる。
【０１３６】
又、表示部１１は、ずらし表示を行うとき、特定キー（実行キー５ａ、キャンセルキー５ｂ、ＯＫキー６ａ、キャンセルキー６ｂ）の通常の表示位置に対し、上下方向、又は、左右方向に特定キーの表示位置をずらし、また、通常の表示位置とずらし表示された特定キーの間隔が予め定められた長さ以下となるようにずらし表示を行う。
【０１３７】
これにより、ずらし表示されたとしても、通常の位置に対し、予め定められた長さを超えないような近距離の位置（例えば、隣接する位置）に特定キーがずらされる。従って、ずらし表示後の特定キーの位置が、通常の表示位置とかけ離れた位置とならないようにすることができる。そのため、ずらされた特定キーの位置の確認に手間取ることもなく、使いづらいと使用者に感じさせない。
【０１３８】
又、特定キーは、ジョブの実行を指示するための実行キー５ａ、設定を確定するためのＯＫキー６ａ、設定をキャンセルするためのキャンセルキーの何れか１つ、又は、複数である。
【０１３９】
これにより、誤入力がなされると、設定の取り消しや設定のやり直しのような手間のかかるキーに対してのみ、連打防止モードでずらし表示と領域変化表示がなされる。従って、ずらし表示や領域変化表示を行うキーを絞り込むことができる。
【０１４０】
又、画像形成装置（複合機１００）は、上述の表示入力装置（操作パネル１）を含む。
【０１４１】
上記の何れかの表示入力装置（操作パネル１）を含むので、連打的なタッチ操作を行っても、誤入力が受け付けられないので、使いやすい画像形成装置（複合機１００）を提供することができる。
【０１４２】
次に、他の実施形態を説明する。上記の実施形態では、連打防止モードのとき、画面の切替により、新たに表示される特定キーのうち、直前にタッチされた（操作された）キーと重なる特定キーに対して、ずらし表示と領域変化表示を行う例を説明した。しかし、同一画面内でも、慣れにより、よく確認せずにキーを連打的に操作する場合もあるので、連打防止モードとなったとき、既に表示されている全ての、又は、一部の特定キーに対し、ずらし表示や領域変化表示を行うようにしてもよい。
【０１４３】
また、上記の実施形態では、実行キー５ａ、ＯＫキー６ａ、キャンセルキー５ｂ、キャンセルキー６ｂを特定キーと扱う例を説明したが、表示上の上位階層に戻るための戻るキーや、操作したキーに応じて表示されるポップアップ画面内に設けられるキー（例えば、ＹｅｓキーやＮｏキー）を特定キーと扱うようにしてもよい。また、コピージョブの開始を指示するための実行キー５ａを特定キーとして説明した。しかし、原稿読み取りで得られた画像データや、記憶部４２に蓄積された画像データをコンピューター２００やファクシミリ装置３００に送信する送信ジョブの実行を指示するために表示される送信実行キーを特定キーと扱ってもよい。
【０１４４】
本発明の実施形態を説明したが、本発明の範囲はこれに限定されるものではなく、発明の主旨を逸脱しない範囲で種々の変更を加えて実施することができる。
【産業上の利用可能性】
【０１４５】
本発明は、表示部とタッチパネル部を有する表示入力装置や、画像形成装置に利用可能である。
【符号の説明】
【０１４６】
１００  複合機（画像形成装置）          １      操作パネル（表示入力装置）
１１    表示部                          １２    タッチパネル部
５ａ    実行キー（特定キー）            ５ｂ    キャンセルキー（特定キー）
６ａ    ＯＫキー（特定キー）            ６ｂ    キャンセルキー（特定キー）
【図１】
0006002650.tif 000002
【図２】
0006002650.tif 000003
【図３】
0006002650.tif 000004
【図４】
0006002650.tif 000005
【図５】
0006002650.tif 000006
【図６】
0006002650.tif 000007
【図７】
0006002650.tif 000008
【図８】
0006002650.tif 000009
【図９】
0006002650.tif 000010
【図１０】
0006002650.tif 000011
【図１１】
0006002650.tif 000012
【図１２】
0006002650.tif 000013